(57)【特許請求の範囲】
【請求項１】
床下を、土台と根太により形成される隙間及び送気ダクトを除いて密閉断熱空間とし、室内の一部と見做すことができるように構成するとともに、布基礎，土台，支柱及び梁を含む構造材の外面を断熱ボードにより覆うことにより、この断熱ボードの内方における前記床下よりも上方を密閉空間にし、前記断熱ボードの外方に、隙間を空けて外装材及び屋根材を設けることにより、前記外装材の下端辺により形成される下通気口と前記屋根材の内方における屋根裏に設けた通気窓を前記隙間により連通させるとともに、前記断熱ボードの内方に、側壁及び天井からなる内壁を設けることにより、この内壁と前記断熱ボード間に壁間空間を設け、かつ前記内壁の内方を室内とし、他方、前記壁間空間に、屋外に排出する室内の空気と屋外から取入れる外気の熱交換機能を有する換気ユニットを配設し、前記換気ユニット及び前記送気ダクトを通して取入れられた外気を、前記床下の内部に配した多数の通孔を有するクリーンボックスに収容した空気の浄化を行うセラミック材，炭材の一方又は双方を含む空気浄化材に接触させて床下へ送った後、当該床下の空気を前記土台と前記根太により形成される隙間を通して前記壁間空間に送り、さらに当該壁間空間の空気を内壁に設けた給気口から室内に供給する送気通路を設けてなることを特徴とする住宅構造。
【請求項２】
前記床下から一階への送気通路は、土台と根太間の隙間を利用することを特徴とする請求項１記載の住宅構造。
【請求項３】
一階から二階への送気通路は、梁に形成した通気溝により行うことを特徴とする請求項１記載の住宅構造。
【発明の詳細な説明】
【０００１】
【発明の属する技術分野】
本発明は住宅構造、特に、換気機能を備える高断熱高気密住宅における住宅構造に関する。
【０００２】
【従来技術及び課題】
従来、省エネルギ性を高めることを目的とした高断熱高気密住宅は知られており、この種の高断熱高気密住宅は、高気密性ゆえに、通常、換気性を確保するための換気機能を備えている。
【０００３】
ところで、このような高断熱高気密住宅では、省エネルギ性を高めようとすれば、換気性が損なわれ、反面、換気性を高めようとすれば、省エネルギ性が損なわれるという相反する課題が存在する。したがって、従来の住宅構造では、換気機能を設けることにより、省エネルギ性がかなり犠牲になってしまう問題があり、従来より、高い省エネルギ性を確保できると同時に十分な換気性を確保できる新たな住宅構造が要請されていた。
【０００４】
本発明は、このような従来の要請に応えたものであり、特に、高い省エネルギ性と十分な換気性の双方を同時に確保できるようにした住宅構造の提供を目的とする。
【０００５】
【課題を解決するための手段及び実施の形態】
本発明に係る住宅構造Ｍは、床下２を、土台１１…と根太１２…により形成される隙間及び送気ダクト５４を除いて密閉断熱空間とし、室内の一部と見做すことができるように構成するとともに、布基礎２０，土台１１…，支柱３０…，３３…及び梁１３…を含む構造材の外面を断熱ボード３４…により覆うことにより、この断熱ボード３４…の内方における床下２よりも上方を密閉空間にし、断熱ボード３４の外方に、隙間Ｓｏを空けて外装材３５及び屋根材３６を設けることにより、外装材３５の下端辺により形成される下通気口Ｓｏｉと屋根材３６の内方における屋根裏に設けた通気窓３７を隙間Ｓｏにより連通させるとともに、断熱ボード３４の内方に、側壁３ｗ及び天井３ｕからなる内壁３を設けることにより、この内壁３と断熱ボード３４間に壁間空間Ｓｗを設け、かつ内壁３の内方を室内Ｒとし、他方、壁間空間Ｓｗに、屋外に排出する室内Ｒの空気Ａｉと屋外から取入れる外気Ａｏの熱交換機能を有する換気ユニット５を配設し、換気ユニット５及び送気ダクト５４を通して取入れられた外気Ａｏを、床下２の内部に配した多数の通孔５５ｓ…を有するクリーンボックス５５…に収容した空気の浄化を行うセラミック材１５ａ…，炭材１５ｂ…の一方又は双方を含む空気浄化材に接触させて床下２へ送った後、当該床下２の空気Ａｓを土台１１…と根太１２…により形成される隙間を通して壁間空間Ｓｗに送り、さらに当該壁間空間Ｓｗの空気Ａｓを内壁３に設けた給気口６から室内Ｒに供給する送気通路Ｆを設けてなることを特徴とする。
【０００６】
この場合、好適な実施の形態により、内壁３には、側壁３ｗ，天井３ｕの一方又は双方を含む。また、床下から一階への送気通路Ｆは、土台１１…と根太１２…間の隙間を利用できるとともに、一階から二階への送気通路Ｆは、梁１３…に形成した通気溝１４…により行うことができる。
【０００７】
【実施例】
次に、本発明に係る好適な実施例を挙げ、図面に基づき詳細に説明する。
【０００８】
まず、本実施例に係る住宅構造Ｍの構成について、図１〜図５を参照して説明する。
【０００９】
図１において、２０は、コンクリートにより造形した布基礎である。布基礎２０は、地面に打設したコンクリート床２１から上方に起立し、後述する床下２を密閉構造にする必要があることから、外郭に位置する布基礎２０には開口及び切欠を設けない。なお、コンクリート床２１の下方には、砕石２２を敷設し、この砕石２２の上に、押出発泡ポリスチレン製の断熱ボード２３を敷設するとともに、この断熱ボード２３の上に、防湿シート２４を敷設する。そして、この防湿シート２４の上に、コンクリート床２１を打設する。
【００１０】
一方、布基礎２０の上端面には、図２に示すように、気密性を高めるパッキン２５…を介在させて土台１１…を設置するとともに、この土台１１…の上に、図２及び図３に示す根太１２…を所定間隔で架設する。また、図２に示すように、コンクリート床２１には、束２６…を起設し、この束２６…の上に大引２７…を架設して根太１２…を支える。なお、２８…は束２６…に取付けた振止である。そして、根太１２…の上には床材２９を敷設する。この床材２９は、下層を構成する下地板（合板）２９ｄと上層を構成するフロア材（フローリング，畳等）２９ｕからなる。
【００１１】
さらに、土台１１…の上には支柱３０…を起設し、この支柱３０…の上端には、梁１３…を架設する。図１は、平屋住宅の場合を示し、梁１３…の上は屋根となる。一方、図２及び図３は、二階建住宅を示し、梁１３…の上には、根太３１…を所定間隔で架設するとともに、根太３１…の上には、床材２９と同様の床材３２を敷設する。この場合、図３に示すように、梁１３…の外側面には、縦方向の通気溝１４…を所定間隔おきに複数形成し、この通気溝１４…を通して梁１３…に対する下方の空間と上方の空間を連通させる。また、梁１３…の上には、支柱３３…を起設し、この支柱３３…の上に梁１３…と同様の梁を架設する。
【００１２】
他方、布基礎２０，土台１１…，支柱３０…，梁１３…及び支柱３３…を含む構造材の外面は、押出発泡ポリスチレン製の断熱ボード３４…により覆い、断熱ボード３４…の内方を密閉空間にする。また、断熱ボード３４…の外方には、一定の隙間Ｓｏを空けて外装材３５…を付設する。この場合、外装材３５…の下端辺は、図２に示すように、布基礎２０の上端付近に位置させることにより、下通気口Ｓｏｉを設ける。一方、外装材３５…の上端辺は屋根材３６に至らせ、隙間Ｓｏは屋根裏に設けた通気窓（換気レジスタ）３７に連通させる。さらに、断熱ボード３４…における外装材３５…に覆われない外面部分はモルタル３８により被覆するとともに、断熱ボード３４…の内面及び土台１１…の上面等には、現場施工による発泡ポリウレタン３９を吹き付けることにより、断熱性及び気密性を高める。
【００１３】
以上の構造により、断熱ボード３４…を含む外側は外壁４となる。この外壁４は、断熱ボード３４…及び発泡ポリウレタン３９の厚さ等を考慮することにより、一般住宅における内外壁面を合わせた断熱性及び気密性を確保する。したがって、本発明に係る住宅構造Ｍの場合、断熱ボード３４…から内側を室内と見做すことができる。
【００１４】
一方、支柱３０…の内面には、図２に示すように、胴縁４０…取付け、この胴縁４０…を利用して内装材４１…を付設するとともに、根太３１…の下面には天井材４２…を付設する。よって、内装材４１…により側壁３ｗが構成されるとともに、天井材４２…により天井３ｕが構成され、側壁３ｗと天井３ｕは内壁３となる。そして、このような構成により、内壁３と外壁４間には、壁間空間Ｓｗが設けられる。なお、壁間空間Ｓｗは、側壁３ｗと天井３ｕの双方により設けることもできるし、側壁３ｗの上端に壁間空間Ｓｗを遮断する仕切部を設けることにより、側壁３ｗのみにより設けることもできる。また、側壁３ｗの上部には、壁間空間Ｓｗと室内Ｒを連通させる給気口６…を設ける。
【００１５】
他方、天井裏には換気ユニット５を配設する。換気ユニット５は熱交換機能と送風機能を備え、換気ユニット５に外気Ａｏを取入れる給気ダクト５１及び換気ユニット５から室内Ｒの空気Ａｉを排出する排気ダクト５２はそれぞれ屋外に臨ませる。また、換気ユニット５に室内Ｒの空気Ａｉを取り込む吸気ダクト５３は天井３ｕから室内Ｒに臨ませるとともに、換気ユニット５から外気Ａｏを送り出す送気ダクト５４は床下２の内部に臨ませる。そして、床下２の内部に導入し、かつ分岐させた送気ダクト５４の先端にはクリーンボックス５５，５６をそれぞれ連通接続する。この場合、クリーンボックス５５は、図４に示すように、多数の通孔５５ｓ…を有するボックス内に、板状に形成した多数のセラミック材１５ａ…を内蔵させて構成できるとともに、クリーンボックス５６は、図５に示すように、多数の通孔５６ｓ…を有するボックス内に、多数の炭材１５ｂ…を内蔵させて構成できる。このようなセラミック材１５ａ…及び炭材１５ｂ…は、除湿機能，除臭機能及びＶＯＣ（揮発性有機化合物）吸着機能等を有することが知られており、取入れられた外気Ａｏに接触させて空気の浄化を行う空気浄化材として利用する。
【００１６】
このような構成により、床下２は、土台１１…と根太１２…により形成される隙間及び送気ダクト５４を除いて、密閉断熱空間となり、床下２は、室内の一部と見做すことができる。また、送気ダクト５４、クリーンボックス５５，５６、床下２、土台１１…と根太１２…間の隙間、壁間空間Ｓｗ、給気口６…は、換気ユニット５から送られる外気Ａｏ（Ａｓ）が流通する送気通路Ｆとして構成され、屋外に対しては全体が密閉断熱構造となる。なお、床下２から一階への送気通路Ｆは、土台１１…と根太１２…間の隙間を利用し、さらに、一階から二階への送気通路Ｆは、梁１３…に形成した通気溝１４…により行うようにしたため、特別な送気通路を構築することなく容易かつ低コストに実施できる利点がある。
【００１７】
次に、本実施例に係る住宅構造Ｍにおける換気機能について、各図を参照して説明する。
【００１８】
まず、換気ユニット５に備える送風機能により、外気Ａｏは給気ダクト５１を通して換気ユニット５に取入れられるとともに、室内Ｒの空気Ａｉは吸気ダクト５３を介して換気ユニット５に吸入される。そして、換気ユニット５の熱交換機能により、外気Ａｏは、室内Ｒの空気Ａｉと熱交換され、熱交換された外気Ａｏが、送気ダクト５４、クリーンボックス５５，５６を通して床下２に供給される。また、換気ユニット５により熱交換された室内Ｒの空気Ａｉは、排気ダクト５２を通して屋外に排出される。
【００１９】
一方、床下２に供給される外気Ａｏは、クリーンボックス５５，５６により浄化される。即ち、外気Ａｏは、セラミック材１５ａ…及び炭材１５ｂ…に接触し、除湿，除臭，ＶＯＣ（揮発性有機化合物）吸着等が行われる。したがって、例えば、道路沿いに建造され、取入れられる外気Ａｏが汚れている場合であってもクリーンボックス５５，５６により浄化されて床下２に供給される。また、浄化された床下２の空気Ａｓは、土台１１…と根太１２…により形成される隙間を通って、壁間空間Ｓｗに進入し、さらに、給気口６…を通って室内Ｒに供給される。なお、外気Ａｏは、下通気口Ｓｏｉから隙間Ｓｏに流入し、当該隙間Ｓｏを通って通気窓３７に流通するため、結露等の防止が図られる。
【００２０】
このような本実施例（図１）に係る住宅構造Ｍによれば、実験上、熱交換率６８〔％〕の換気ユニット５を使用することにより、外気Ａｏの温度が０〔℃〕、室内Ｒの温度が２０〔℃〕の場合、給気口６…から流入する定常時における空気Ａｓの温度は、１１．７〔℃〕となり、送気通路Ｆにおける熱損失は僅かであった。したがって、室内Ｒにおける暖房は、１１．７〔℃〕から２０〔℃〕まで、８．３〔℃〕だけ昇温すれば足りることになる。
【００２１】
このように、本発明は、住宅における熱が最も奪われる床下２に着目し、床下２をいわば室内の一部と見做せる構造を構築するとともに、内壁３の外側にも室内と見做せる壁間空間Ｓｗを設けたため、高い省エネルギ性と十分な換気性の双方を同時に確保することができる。
【００２２】
以上、実施例について詳細に説明したが、本発明はこのような実施例に限定されるものではなく、細部の構成，形状，材料（素材），数量等において、本発明の要旨を逸脱しない範囲で任意に変更，追加，削除することができる。
【００２３】
【発明の効果】
このように、本発明に係る住宅構造は、床下を、土台と根太により形成される隙間及び送気ダクトを除いて密閉断熱空間とし、室内の一部と見做すことができるように構成するとともに、布基礎，土台，支柱及び梁を含む構造材の外面を断熱ボードにより覆うことにより、この断熱ボードの内方における床下よりも上方を密閉空間にし、断熱ボードの外方に、隙間を空けて外装材及び屋根材を設けることにより、外装材の下端辺により形成される下通気口と屋根材の内方における屋根裏に設けた通気窓を隙間により連通させるとともに、断熱ボードの内方に、側壁及び天井からなる内壁を設けることにより、この内壁と断熱ボード間に壁間空間を設け、かつ内壁の内方を室内とし、他方、壁間空間に、屋外に排出する室内の空気と屋外から取入れる外気の熱交換機能を有する換気ユニットを配設し、換気ユニット及び送気ダクトを通して取入れられた外気を、床下の内部に配した多数の通孔を有するクリーンボックスに収容した空気の浄化を行うセラミック材，炭材の一方又は双方を含む空気浄化材に接触させて床下へ送った後、当該床下の空気を土台と根太により形成される隙間を通して壁間空間に送り、さらに当該壁間空間の空気を内壁に設けた給気口から室内に供給する送気通路を設けてなるため、次のような顕著な効果を奏する。
【００２４】
（１）  高断熱高気密住宅における高い省エネルギ性と十分な換気性の双方を同時に確保することができ、快適な住環境を得ることができる。
【００２５】
（２）  送気通路に、換気ユニットを通して取入れられた外気に接触させて空気の浄化を行うセラミック材，炭材の一方又は双方を含む空気浄化材を配してなるため、例えば、道路沿いに建造され、外気が汚れている場合であっても浄化した空気を取り込むことができる。
【００２６】
（３）  好適な実施の形態により、床下から一階への送気通路を、土台と根太間の隙間を利用し、また、一階から二階への送気通路を、梁に形成した通気溝により行えば、特別な送気通路を構築することなく容易かつ低コストに実施できる。
【図面の簡単な説明】
【図１】本発明の好適な実施例に係る住宅構造を示す模式的構成図、
【図２】同住宅構造の一部を抽出して示す断面図、
【図３】同住宅構造の一部を抽出して示す斜視図、
【図４】同住宅構造に用いるクリーンボックスの斜視図、
【図５】同住宅構造に用いる他のクリーンボックスの斜視図、
【符号の説明】
２        床下
３        内壁
３ｗ      側壁
３ｕ      天井
４        外壁
５        換気ユニット
６…      給気口
１１…    土台
１２…    根太
１３…    梁
１４…    通気溝
１５ａ…  セラミック材
１５ｂ…  炭材
２０      布基礎
２９      床材
３０…    支柱
３３…    支柱
３４      断熱ボード
３５      外装材
３６      屋根材
３７      通気窓
５４      送気ダクト
５５…    クリーンボックス
５５ｓ…  通孔
Ｍ        住宅構造
Ｓｏ      隙間
Ｓｏｉ    下通気口
Ｓｗ      壁間空間
Ｒ        室内
Ａｉ      空気
Ａｏ      外気
Ａｓ      空気
Ｆ        送気通路
【図１】
0003720656.tif 000002
【図２】
0003720656.tif 000003
【図３】
0003720656.tif 000004
【図４】
0003720656.tif 000005
【図５】
0003720656.tif 000006